(57)【要約】【課題】水平方向の引っ張り荷重に十分耐えることができ、構造が簡単で製作コストを安くできる配線コード掛止用金具を提供する。【解決手段】建物の梁材２等の下面側所要箇所に防災検知器の配線コード３の所要部を掛止するための配線コード掛止用金具であって、梁材２等の下面に取り付けられる水平取付板部１１と、水平取付板部１１の一端部側から下方へ折曲延設されるコード掛止用部片１２とからなる金具本体１３を有し、金具本体１３の水平取付板部１１に複数のビス又はピン打ち込み用孔１６を設け、コード掛止用部片１２にはアイボルト用ネジ孔１７を設け、水平取付板部１１を梁材２等の下面に対し打ち込み用孔１６から打ち込まれるビス１８又はピンにより取り付け、コード掛止用部片１２のネジ孔１７にアイボルト１４を螺入し、イボルト１４に、梁材２等に沿って配線される前記配線コード３の所要部を掛止する。【選択図】図２
2009081912.tif 000002
【特許請求の範囲】
【請求項１】
建物の梁材、コンクリートスラブ、デッキプレート等の下面側所要箇所に防災検知器の配線コードの所要部を掛止するための配線コード掛止用金具であって、前記梁材等の下面に取り付けられる水平取付板部と、水平取付板部の一端部側から下方へ折曲延設されるコード掛止用部片とからなる金具本体を有し、金具本体の水平取付板部に複数のビス又はピン打ち込み用孔を設け、コード掛止用部片にはアイボルト用ネジ孔を設け、水平取付板部を前記梁材等の下面に対し前記打ち込み用孔から打ち込まれるビス又はピンによって取り付け、コード掛止用部片のネジ孔にアイボルトを螺入し、このアイボルトに前記配線コードの所要部を掛止するようにした防災検知器の配線コード掛止用金具。
【請求項２】
金具本体のコード掛止用部片は、水平取付板部の一端部側から下方へ垂直に折曲延設された垂直板片からなる請求項１に記載の防災検知器の配線コード止着用金具。
【請求項３】
金具本体のコード掛止用部片は、水平取付板部の一端部側の両側端縁から下方へ垂直に折曲延設された両側一対の耳片からなり、一方の耳片にアイボルト用ネジ孔を設け、他方の耳片にボルト挿通孔を設けた請求項１に記載の防災検知器の配線コード止着用金具。
【請求項４】
金具本体のコード掛止用部片は、水平取付板部の一端部側から斜め下方に延びる斜段部を介して水平取付板部と平行に延設された上水平板片と、この上水平板片の一側端縁から垂直下方に折曲延設された垂直板片と、この垂直板片の下端縁から上水平板片と平行に延設された下水平板片とからなり、下水平板片にアイボルト用ネジ孔を設け、上水平板片には下水平板片のネジ孔と対向する位置にアイボルトのボルト部が挿通する挿通孔を設け、下水平板片のネジ孔に螺入したアイボルトのボルト部を前記挿通孔に挿通して、その先端部を前記梁材等の下面に当て付けるようにする請求項１に記載の防災検知器の配線コード止着用金具。
【発明の詳細な説明】
【技術分野】
【０００１】
本発明は、建物の屋根裏に位置する梁材、コンクリートスラブ、デッキプレート等の下面に、火災報知機のような防災検知器の配線コードを掛止するための配線コード掛止用金具に関する。
【背景技術】
【０００２】
図８は建物の例えば一室内に設置された火災報知機の配線図を示し、この図において１は支柱、２は対向する支柱１，１間に掛け渡された梁材としてのＨ形鋼、３は配線コードで、室内の天井裏において各Ｈ形鋼（梁材）２の長手方向に沿うように横方向に配線されると共に各横方向の配線コード３の端部どうしをつなぐように縦方向に配線されている。４は室内の天井に取り付けられ、一定以上の煙や熱を感知すると、警報ベル５を鳴らせるようにするセンサー、６は制御ボックスであり、電源としてＡＣ１００Ｖが使用される。７は室内の周囲に形成される外壁を示す。
【０００３】
従来では、上記のように配線される配線コード３の所要部をＨ形鋼（梁材）２に掛止するために図９に示すような天井材吊りボルト固定用のコ字形クランプ８を使用していた。このコ字形クランプ８は、Ｈ形鋼２の下部フランジ２ａに嵌め込むコ字状本体９と、コ字状本体９の下部片９ａに設けてあるネジ孔（図示省略）に下方より螺入されるボルト１０とからなるもので、図示のようにコ字状本体９をＨ形鋼２の下部フランジ２ａに嵌め込んで、コ字状本体９の下部水平片９ａからねじ込んだボルト１０の上端を下部フランジ２ａの下面に押し付けて、コ字状本体９を下部フランジ２ａに固定し、しかしてコ字状本体９の垂直片９ｂに設けた孔９ｏに配線コード３を通し、１〜２回巻き付けることによって、配線コード３の所要部を掛止するようにしていた。
【発明の開示】
【発明が解決しようとする課題】
【０００４】
従来使用されている天井材吊りボルト固定用のコ字形クランプ８は、本来、ボルト１０にかかる天井下地材の垂直荷重を支持するためのものであるから、火災報知機等の配線コード３のように水平方向に引っ張り荷重がかかる場合、Ｈ形鋼２にかかる振動等によってボルト１０が緩むと、コ字状本体９がＨ形鋼２の下部フランジ２ａから外れるおそれがあった。
【０００５】
本発明は、上記の課題に鑑み、水平方向の引っ張り荷重に十分耐えることができると共に、構造が簡単で製作コストを安くできる配線コード掛止用金具を提供することを目的とする。
【課題を解決するための手段】
【０００６】
上記課題を解決するための手段を、後述する実施形態の参照符号を付して説明すると、請求項１に係る発明は、建物の梁材２、コンクリートスラブ、デッキプレート等の下面側所要箇所に防災検知器の配線コード３の所要部を掛止するための配線コード掛止用金具であって、前記梁材２等の下面に取り付けられる水平取付板部１１と、水平取付板部１１の一端部側から下方へ折曲延設されるコード掛止用部片１２とからなる金具本体１３を有し、金具本体１３の水平取付板部１１に複数のビス又はピン打ち込み用孔１６を設け、コード掛止用部片１２にはアイボルト用ネジ孔１７を設け、水平取付板部１１を前記梁材２等の下面に対し前記打ち込み用孔１６から打ち込まれるビス１８又はピンによって取り付け、コード掛止用部片１２のネジ孔１７にアイボルト１４を螺入し、このアイボルト１４に前記配線コード３の所要部を掛止するようにしたことを特徴とする。
【０００７】
請求項２は、請求項１に記載の防災検知器の配線コード止着用金具において、金具本体１３のコード掛止用部片１２は、水平取付板部１１の一端部側から下方へ垂直に折曲延設された垂直板片１５からなることを特徴とする。
【０００８】
請求項３は、請求項１に記載の防災検知器の配線コード止着用金具において、金具本体１３のコード掛止用部片１２は、水平取付板部１１の一端部側の両側端縁から下方へ垂直に折曲延設された両側一対の耳片２０，２０からなり、一方の耳片２０にアイボルト用ネジ孔１７を設け、他方の耳片２０にボルト挿通孔２１を設けたことを特徴とする。
【０００９】
請求項４は、請求項１に記載の防災検知器の配線コード止着用金具において、金具本体１３のコード掛止用部片１２は、水平取付板部１１の一端部側から斜め下方に延びる斜段部２２を介して水平取付板部１１と平行に延設された上水平板片２３と、この上水平板片２３の一側端縁から垂直下方に折曲延設された垂直板片２４と、この垂直板片２４の下端縁から上水平板片２３と平行に延設された下水平板片２５とからなり、下水平板片２５にアイボルト用ネジ孔１７を設け、上水平板片２３には下水平板片２５のネジ孔１７と対向する位置にアイボルト１４のボルト部１４ａが挿通する挿通孔２１を設け、下水平板片２５のネジ孔１７に螺入したアイボルト１４のボルト部１４ａを前記挿通孔２１に挿通して、その先端部を前記梁材２等の下面２ａに当て付けるようにすることを特徴とする。
【発明の効果】
【００１０】
上記解決手段による発明の効果を、後述する実施形態の参照符号を付して説明すると、請求項１に係る発明の配線コード止着用金具は、水平取付板部１１とコード掛止用部片１２とからなる金具本体１３を有し、この金具本体１３の水平取付板部１１に複数のビス又はピン打ち込み用孔１６を、コード掛止用部片１２にアイボルト用ネジ孔１７を設けて、水平取付板部１１を梁材２等の下面に対して打ち込み用孔１６から打ち込まれるビス１８又はピンで取り付け、コード掛止用部片１２のネジ孔１７にアイボルト１４を螺入して、このアイボルト１４に配線コード３の所要部を掛止するようにしたから、配線コード３を梁材２等の下面に沿うように水平方向に張架する時には、その配線コード３の水平方向の引っ張り荷重に十分耐えることができると共に、金具本体１３の構造が簡単であるため、製作が容易となって、コストの低廉化を図ることができる。
【００１１】
請求項２に係る発明によれば、金具本体１３のコード掛止用部片１２が、水平取付板部１１の一端部側から下方へ垂直に折曲延設された垂直板片１５からなるため、金具本体１３の構造が極めて簡単となり、製作が一層容易となる。
【００１２】
請求項３に係る発明によれば、金具本体１３のコード掛止用部片１２が、水平取付板部１１の一端部側の両側端縁から下方へ垂直に折曲延設された両側一対の耳片２０，２０からなり、一方の耳片２０にアイボルト用ネジ孔１７を設け、他方の耳片２０にボルト挿通孔２１を設けたもので、アイボルト１４を一方の耳片２０のネジ孔１７に螺合すると共に他方の耳片２０にボルト挿通孔２１に挿通させることにより、アイボルト１４をコード掛止用部片１２に対しより安定状態に保持することができる。
【００１３】
請求項４に係る発明によれば、コード掛止用部片１２が、水平取付板部１１の一端部側から斜め下方に延びる斜段部２２を介して水平取付板部１１と平行に延設された上水平板片２３と、上水平板片２３の一側端縁から垂直下方に折曲延設された垂直板片２４と、垂直板片２４の下端縁から上水平板片２３と平行に延設された下水平板片２５とからなるもので、下水平板片２５のネジ孔１７に螺入したアイボルト１４のボルト部１４ａを前記挿通孔２１に挿通して、その先端部を梁材２等の下面２ａに当て付けるようにすることにより、アイボルト１４の緩みを極力阻止することができると共に、アイボルト１４をコード掛止用部片１２に安定良く取り付けることができる。
【発明を実施するための最良の形態】
【００１４】
以下に本発明の好適な一実施形態を図面に基づいて説明すると、図１の(a) は本発明に係る防災検知器の配線コード止着用金具Ａを表側から見た斜視図、(b) は裏側から見た斜視図であり、(c) はその取付状態を示す側面図である。この配線図１の(a) は本発明に係る防災検知器の配線コード止着用金具Ａを表側から見た斜視図、(b) は裏側から見た斜視図であり、(c) はその取付状態を示す側面図である。ード止着用金具Ａは、建物の梁材としてのＨ形鋼２の下部フランジ２ａの下面２ａｏに取り付けられる水平取付板部１１と、この水平取付板部１１の一端部側から下方へ延設されるコード掛止用部片１２とからなる金具本体１３を有し、コード掛止用部片１２は、水平取付板部１１の一端部側から下方へ垂直に折曲延設される垂直片１５からなる。
【００１５】
金具本体１３の水平取付板部１１には複数のビス又はピン打ち込み用孔１６が設けられ、コード掛止用部片１２である垂直片１５にアイボルト用ネジ孔１７が設けられている。従って、水平取付板部１１は、前記打ち込み用孔１６からＨ形鋼２の下部フランジ２ａの下面２ａｏに対しビス１８又はピンを打ち込むことによって下部フランジ下面２ａｏに取り付けられる。そして、コード掛止用部片１２のネジ孔１７にアイボルト１４のボルト部１７ａを螺入し、このアイボルト１４のリング部１７ｂに、Ｈ形鋼２の下面２ａｏに沿うように配線される防災検知器の配線コード３の所要部を掛止するようになっている。尚、水平取付板部１１及び垂直片１５は、夫々の両側縁部を直角に折曲して形成された補強縁部１１ａ，１５ａを有する。
【００１６】
ビス１８又はピンをＨ形鋼２の下部フランジ２ａの下面２ａｏに打ち込むには、鋼材用鋲打ち銃や鋼材用ガス式ピン打ち機等を使用するとよい。図１に示すような配線コード止着用金具Ａによれば、金具本体１３のコード掛止用部片１２が、水平取付板部１１の一端部側から下方へ垂直に折曲延設された垂直板片１５からなるため、金具本体１３の構造が極めて簡単となり、製作が一層容易となる。
【００１７】
図２は、図８に示される火災報知機の配線図のように配線コード３を配線するにあたりＨ形鋼（梁材）２の下面２ａｏにコード止着用金具Ａを取り付けた状態の一部を示している。即ち、配線コード３は、Ｈ形鋼２の下面２ａｏに所要間隔をおいて取り付けたコード止着用金具Ａごとに巻き付けられて掛止されることにより、Ｈ形鋼２の長手方向に沿って水平に張り渡されると共に、一つの金具Ａのところから下向きに分岐された配線コード３は、天井板１９の下面に取り付けられるセンサー４に接続されている。
【００１８】
図３の(a) は本発明に係る他の配線コード止着用金具Ｂを表側から見た斜視図、(b) はその取付状態を示す側面図である。この配線コード止着用金具Ｂは、建物の梁材としてのＨ形鋼２の下部フランジ２ａの下面２ａｏに取り付けられる水平取付板部１１と、この水平取付板部１１の一端部側から下方へ延設されるコード掛止用部片１２とからなる金具本体１３を有し、この金具本体１３のコード掛止用部片１２は、水平取付板部１１の一端部側の両側端縁から下方へ垂直に折曲延設された両側一対の耳片２０，２０からなる。水平取付板部１１は、両側縁部を夫々直角に折曲して形成された補強縁部１１ａを有する。
【００１９】
金具本体１３の水平取付板部１１にはビス又はピン打ち込み用孔１６が多数設けられ、コード掛止用部片１２としての両耳片２０，２０の一方にはアイボルト用ネジ孔１７が設けられ、他方の耳片２０にはボルト挿通孔２１が設けられており、しかして水平取付板部１１は、打ち込み用孔１６からＨ形鋼２の下部フランジ２ａの下面２ａｏに対しビス１８又はピンを打ち込むことによって下部フランジ下面２ａｏに取り付けられ、アイボルト１４は、一方の耳片２０のネジ孔１７にボルト部１４ａを螺入すると共に、そのボルト部１４ａの先端部側を他方の耳片２０のボルト挿通孔２１に挿通させるようにしている。このような構造の金具本体１３によれば、アイボルト１４をコード掛止用部片１２に対しより安定状態に保持することができる。
【００２０】
また図４の(a) は更に他の配線コード止着用金具Ｃを表側から見た斜視図、(b) はその取付状態を示す側面図である。この配線コード止着用金具Ｃの金具本体１３は、梁材としてのＨ形鋼２の下部フランジ２ａの下面２ａｏに取り付けられる水平取付板部１１と、この水平取付板部１１の一端部側から下方へ延設されるコード掛止用部片１２とからなる。このコード掛止用部片１２は、水平取付板部１１の一端部側から斜め下方に延びる斜段部２２を介して水平取付板部１１と平行に延設された上水平板片２３と、この上水平板片２３の一側端縁から垂直下方に折曲延設された垂直板片２４と、この垂直板片２４の下端縁から前記上水平板片２３と平行に延設された下水平板片２５とからなるもので、下水平板片２５にはアイボルト用ネジ孔１７を設け、上水平板片２３には下水平板片２５のネジ孔１７と対向する位置に、アイボルト１４のボルト部１４ａが挿通するボルト挿通孔２１を設け、しかして下水平板片２５のネジ孔１７に螺入したアイボルト１４のボルト部１４ａを上水平板片２３の挿通孔２１に挿通して、その先端部を図４の(b) に示すようにＨ形鋼２の下部フランジ２ａの下面２ａｏに当て付けるようになっている。
【００２１】
この配線コード止着用金具Ｃでは、上記のように下水平板片２５のネジ孔１７に螺入したアイボルト１４のボルト部１４ａを挿通孔２１に挿通して、その先端部をＨ形鋼２の下部フランジ下面２ａｏに当て付けることにより、アイボルト１４の緩みを有効に阻止できると共に、アイボルト１４をコード掛止用部片１２に安定良く取り付けることができる。また水平取付板部１１と、コード掛止用部片１２の斜段部２２及び上水平板片２３とは、夫々の両側縁部を夫々直角に折曲して形成された補強縁部１１ａ，２２ａ，２３ａを有する。またコード掛止用部片１２の垂直板片２４にはネジの切られていない所要径の孔２６が設けられ、これには天井裏に設けられる配管等を挿通させることができる。
【００２２】
この配線コード止着用金具Ｃの金具本体１３のＨ形鋼２への取付け及びアイボルト１４への配線コード３の止着方法については、前述した配線コード止着用金具Ａ，Ｂの場合と同様である。
【００２３】
図５の(a) は図１に示す配線コード止着用金具Ａの金具本体１３を平面状に展開した状態の平面図で、図において、(イ)及び(ロ)は折り目を示し、この折り目(イ)，(ロ)に沿ってプレス加工することにより、図１の(a) ，(b) に示すような金具本体１３が形成される。図５の(b) は図３に示す配線コード止着用金具Ｂの金具本体１３を平面状に展開した状態の平面図で、この図に示す折り目(ハ)に沿ってプレス加工することにより、図３の(a) に示すような金具本体１３が形成される。そして図５の(c) は図４に示す配線コード止着用金具Ｃの金具本体１３を平面状に展開した状態の平面図で、この図に示す折り目(ニ)，(ホ)，(ヘ)に沿ってプレス加工することにより、図４の(a) に示すような金具本体１３が形成される。
【００２４】
図６は図１に示す配線コード止着用金具Ａと殆ど同じ構造の配線コード止着用金具Ａ′を示したもので、(a) は金具Ａ′の金具本体１３を表側から見た斜視図、(b) はその裏側から見た斜視図である。この金具Ａ′では、水平取付板部１１の中心線に沿った複数箇所にビス又はピン打ち込み用孔１６が設けられており、コード掛止用部片１２としての垂直片１５にはその下端部側にアイボルト用ネジ孔１７が、またその上側には天井裏に設けられる空気管や設備機器等をネジ止めするネジ孔２７が設けられている。従って、水平取付板部１１は、前記打ち込み用孔１６からＨ形鋼２の下部フランジ２ａの下面２ａｏに対しビス１８又はピンを打ち込むことにより下部フランジ下面２ａｏに取り付けられ、コード掛止用部片１２のネジ孔１７にはアイボルト１４のボルト部１７ａが螺入され、このアイボルト１４のリング部１７ｂには防災検知器の配線コード３の所要部が掛止され、そしてネジ孔２７には例えば空気管２８がねじ込んで取り付けられるようになっている。
【００２５】
図７の(a) は図６に示される配線コード止着用金具Ａ′の金具本体１３を建物のコンクリートスラブ２９の下面２９ａに直接ビス又はピン１８で取り付けた状態を示す説明図、(b) はコンクリートスラブ２９の下面を被うように配設されたデッキプレート３０の下面に配線コード止着用金具Ａ′の金具本体１３をビス又はピン１８で取り付けた状態を示す説明図である。また図７の(c) はフラットデッキ３１の所要箇所から下向きに突設された断面三角形状垂下部片３２の下面に配線コード止着用金具Ａ′の金具本体１３をビス又はピン１８で取り付けた状態を示したものである。
【００２６】
以上説明した配線コード止着用金具Ａ，Ａ′，Ｂ，Ｃの金具本体１３を使用することにより、配線コード３を梁材２等の下面に沿うように水平方向に張架する時には、その配線コード３の水平方向の引っ張り荷重に十分耐えることができる。また、これらの金具Ａ，Ａ′，Ｂ，Ｃの金具本体１３は構造が簡単であるため、製作が容易となって、コストの低廉化を図ることができる。
【図面の簡単な説明】
【００２７】
【図１】(a) は本発明に係る防災検知器の配線コード止着用金具Ａを表側から見た斜視図、(b) は裏側から見た斜視図であり、(c) はその取付状態を示す側面図である。
【図２】Ｈ形鋼（梁材）の下面にコード止着用金具Ａを取り付けた状態の一部を示す斜視図である。
【図３】(a) は他の配線コード止着用金具Ｂを表側から見た斜視図、(b) はその取付状態を示す側面図である。
【図４】(a) は更に他の配線コード止着用金具Ｃを表側から見た斜視図、(b) はその取付状態を示す側面図である。
【図５】(a) は図１に示す配線コード止着用金具Ａの金具本体を平面状に展開した状態の平面図、(b) は図３に示す配線コード止着用金具Ｂの金具本体を平面状に展開した状態の平面図、(c) は図４に示す配線コード止着用金具Ｃの金具本体を平面状に展開した状態の平面図である。
【図６】配線コード止着用金具Ａ′を示し、(a) は金具Ａ′の金具本体を表側から見た斜視図、(b) はその裏側から見た斜視図である。
【図７】配線コード止着用金具Ａ′の金具本体を建物のコンクリートスラブの下面取り付けた状態を示す説明図、(b) はデッキプレートの下面に配線コード止着用金具Ａ′の金具本体を取り付けた状態を示す説明図、(c) はフラットデッキの所要箇所から下向きに突設された断面三角形状垂下部片の下面に配線コード止着用金具Ａ′の金具本体を取り付けた状態を示す説明図である。
【図８】建物の一室内に設置された火災報知機の配線図を示す。
【図９】配線コードの所要部をＨ形鋼（梁材）の下面側所要箇所に掛止する従来の方法を示す説明図である。
【符号の説明】
【００２８】
Ａ            配線コード止着用金具
Ａ′          配線コード止着用金具
Ｂ            配線コード止着用金具
Ｃ            配線コード止着用金具
２            建物の梁材
３            配線コード
１１          水平取付板部
１２          コード掛止用部片
１３          金具本体
１４          アイボルト
１６          ビス又はピン打ち込み用孔
１７          アイボルト用ネジ孔
【図１】
2009081912.tif 000003
【図２】
2009081912.tif 000004
【図３】
2009081912.tif 000005
【図４】
2009081912.tif 000006
【図５】
2009081912.tif 000007
【図６】
2009081912.tif 000008
【図７】
2009081912.tif 000009
【図８】
2009081912.tif 000010
【図９】
2009081912.tif 000011